(57)【要約】【課題】  充電器本体が複数の充電用コネクタを備える場合に、その複数の充電用コネクタのうちの一つを露出させる。携帯電話機が接続される充電用コネクタを備える充電器本体を備える充電器において、その充電用コネクタへ提供する充電用電源をオンオフ制御する。【解決手段】  電話機が接続される複数の充電用コネクタを備える充電器本体と、前記充電器本体に回転可能に取り付けられるとともに、回転停止位置に応じて前記複数のコネクタのうちの一つを露出させる開口部が形成されたカバーと、を備える携帯電話機用充電器。また、携帯電話機が接続される充電用コネクタを備える充電器本体と、前記充電用コネクタへ供給する充電用電源をオンオフ制御する制御手段と、を備える携帯電話機用充電器。【選択図】図２
2006025532.tif 000002
【特許請求の範囲】
【請求項１】
携帯電話機が接続される複数の充電用コネクタを備える充電器本体と、
前記充電器本体に回転可能に取り付けられるとともに、回転停止位置に応じて前記複数のコネクタのうちの一つを露出させる開口部が形成されたカバーと、
を備える携帯電話機用充電器。
【請求項２】
携帯電話機が接続される充電用コネクタを備える充電器本体と、
前記充電用コネクタへ供給する充電用電源をオンオフ制御する制御手段と、
を備える携帯電話機用充電器。
【請求項３】
前記制御手段は、外部情報処理端末から供給される所定コマンドに基づいて前記制御を行う、請求項２に記載の携帯電話機用充電器。
【発明の詳細な説明】
【技術分野】
【０００１】
本発明は、携帯電話機に充電するための技術に関する。
【背景技術】
【０００２】
従来、携帯電話機に充電するための技術として、電源供給用のスタンドに携帯電話機を装着することで、スタンドから電源が供給されて充電するものが知られている。
しかしながら、充電器本体が複数の充電用コネクタを備える場合に、その複数の充電用コネクタのうちの一つを露出させるものは提供されていない。
【０００３】
また、携帯電話機が接続される充電用コネクタを備える充電器本体を備える充電器において、その充電用コネクタへ提供する充電用電源をオンオフ制御するものは提供されていない。
【０００４】
なお、本発明に関連すると思われるものとして特許文献１に記載のものがある。
【特許文献１】特開２０００−０９２７２８号公報
【発明の開示】
【発明が解決しようとする課題】
【０００５】
本発明の第一の課題は、充電器本体が複数の充電用コネクタを備える場合に、その複数の充電用コネクタのうちの一つを露出させるための技術を提供することにある。
本発明の第二の課題は、携帯電話機が接続される充電用コネクタを備える充電器本体を備える充電器において、その充電用コネクタへ提供する充電用電源をオンオフ制御するための技術を提供することにある。
【課題を解決するための手段】
【０００６】
本発明は、上記第一の課題を解決するためになされたものであり、携帯電話機用充電器であって、携帯電話機が接続される複数の充電用コネクタを備える充電器本体と、前記充電器本体に回転可能に取り付けられるとともに、回転停止位置に応じて前記複数のコネクタのうちの一つを露出させる開口部が形成されたカバーと、を備える構成とした。
【０００７】
本発明によれば、充電器本体が複数の充電用コネクタを備える場合に、その複数の充電用コネクタのうちの一つを露出させることが可能となる。
また、本発明は、上記第二の課題を解決するためになされたものであり、携帯電話機用充電器であって、携帯電話機が接続される充電用コネクタを備える充電器本体と、前記充電用コネクタへ供給する充電用電源をオンオフ制御する制御手段と、を備える構成とした。
【０００８】
本発明によれば、携帯電話機が接続される充電用コネクタを備える充電器本体を備える充電器において、その充電用コネクタへ提供する充電用電源をオンオフ制御することが可能となる。
【０００９】
この充電器においては、例えば、前記制御手段は、外部情報処理端末から供給される所定コマンドに基づいて前記制御を行う。これは、制御手段の制御の一例を示したものである。
【発明の効果】
【００１０】
本発明によれば、充電器本体が複数の充電用コネクタを備える場合に、その複数の充電
用コネクタのうちの一つを露出させることが可能となる。また、電話機が接続される充電用コネクタを備える充電器本体を備える充電器において、その充電用コネクタへ提供する充電用電源をオンオフ制御することが可能となる。
【発明を実施するための最良の形態】
【００１１】
（第一実施形態）
本発明の一実施形態である充電器について図面を参照しながら説明する。図１は、本発明の一実施形態である充電器の外観を説明するための斜視図である。図２は、本発明の一実施形態である充電器の分解斜視図である。図３は、本発明の一実施形態である充電器の充電器本体を説明するための斜視図である。
【００１２】
図１〜図３に示すように、本実施形態の充電器１０は、携帯電話機（図示せず）が接続される複数の充電用コネクタ２１ａ、２１ｂ、２１ｃを備える充電器本体２０と、この充電器本体２０に回転可能に取り付けられるとともに、回転停止位置に応じて複数の充電用コネクタ２１ａ、２１ｂ、２１ｃのうちの一つを露出させる開口部３１が形成されたカバー３０とを備えている。
【００１３】
図２、図３に示すように、充電器本体２０は、複数の充電用コネクタ２１ａ、２１ｂ、２１ｃ以外の主要な構成として、ＵＳＢケーブル２２、回路基板２３、下側プレート２４、及び上側プレート２５を備えている。
【００１４】
充電用コネクタ２１ａ（２１ｂ、２１ｃも同様）は、携帯電話機が備えるコネクタ（図示せず）に装着されて、充電用の電源を供給するためのものである。携帯電話機ごとにコネクタの形状が異なることから、携帯電話機が備えるコネクタの形状に対応した数の充電用コネクタ（ここでは２１ａ、２１ｂ、２１ｃの３つを例示）が設けられる。なお、充電用コネクタについては、２つであってもよいし、４つ以上であってもよく、適宜の数とすることが可能である。
【００１５】
充電用コネクタ２１ａ、２１ｂ、２１ｃは、例えば、図２に示すように、回路基板２３の外周付近にほぼ均等の間隔で接続される。
回路基板２３にはＵＳＢケーブル２２が接続されている。ＵＳＢケーブル２２はその末端にＵＳＢポートに接続するためのプラグを備えており、このプラグがパーソナルコンピュータなどの情報処理端末のＵＳＢポートに接続されることで、充電器１０（回路基板２３）に電源を供給する。なお、ＵＳＢポートを備える情報処理端末としては様々なものが考えられるが、ここでは、飲食店などに設置される情報処理端末（図示せず）を想定する。
【００１６】
そのＵＳＢケーブル２２から供給される電源は回路基板２３を介して安定化されて（さらには後述のように電源制御される場合もある）各充電用コネクタ２１ａ、２１ｂ、２１ｃに供給される。
【００１７】
図２、図３に示すように、下側プレート２４は、その周縁に沿って起立する壁部２６を備えており、この壁部２６に上側プレート２５を重ねることで、下側プレート２４と上側プレート２５の間に回路基板２３の収容空間が形成される。回路基板２３は、その収容空間に、充電用コネクタ２１ａ、２１ｂ、２１ｃの先端を外部へ露出させた状態で配置される。このように回路基板を配置するために、充電器本体２０は次の構成を採る。
【００１８】
すなわち、図２に示すように、下側プレート２４の周縁に沿って起立する壁部２６には、３つの充電用コネクタ２１ａ、２１ｂ、２１ｃの配置間隔に応じた位置にこれらの充電用コネクタがはめ込まれる切欠部２６ａ、２６ｂ、２６ｃが設けられ、さらにＵＳＢケー
ブル２２の配置位置に応じた位置にそのＵＳＢケーブル２２がはめ込まれる切欠部２６ｄが設けられている。
【００１９】
３つの充電用コネクタ２１ａ、２１ｂ、２１ｃ、ＵＳＢケーブル２２をそれぞれ各切欠部２６ａ、２６ｂ、２６ｃ、２６ｄにはめ込み、かつ、下側プレート２４の中央に設けられたネジ穴を有する円柱部２７を回路基板２３の中央に形成された貫通穴に挿入する。
【００２０】
そして、図３に示すように、この状態の下側プレート２４に上側プレート２５を重ね両者を一体化する。例えば、下側プレート２４と上側プレート２５を重ね合わせたときに係合しあう部材（図３では各プレート周囲に設けた係合部材２４ａ、２５ａを例示）を設けることで両者を一体化する。あるいは接着剤で接着することで両者を一体化する。あるいは、ネジ止めすることで両者を一体化する。
【００２１】
上側プレート２５表面には、各充電用コネクタ２１ａ、２１ｂ、２１ｃ（又はこれに接続される携帯電話機又はその方式など）に対応する名称が、３つの充電用コネクタ２１ａ、２１ｂ、２１ｃの配置間隔に応じた位置に記載されている。例えば、図３では、充電用コネクタ２１ａに対応する名称として「ＰＤＣ」が、充電用コネクタ２１ｂに対応する名称として「Ｆｏｍａ」が、充電用コネクタ２１ｃに対応する名称として「Ｃｄｍａ」が、それぞれ記載されている。
【００２２】
次に、カバー３０について説明する。
図１、図２に示すように、カバー３０は、充電器本体２０に回転可能に取り付けられるとともに、その回転停止位置に応じて複数の充電用コネクタ２１ａ、２１ｂ、２１ｃのうちの一つを露出させる開口部３１が形成されている。さらに、カバー３０には、その回転停止位置に応じて上側プレート表面に記載されている複数の名称（図３では「ＰＤＣ」、「Ｆｏｍａ」、「Ｃｄｍａ」を例示）のうち一つを視認させるための窓３２が設けられている。なお、カバー３０の開口部３１から露出する充電用コネクタ（図１では充電用コネクタ２１ａを例示）に対応する名称（図１では「ＰＤＣ」を例示）がカバーの窓３２から視認されるように、各充電用コネクタ２１ａ、２１ｂ、２１ｃに対応する名称とカバーの窓３２との関係が設定されている。
【００２３】
図２に示すように、カバー３０の中央にはネジが挿入される貫通穴３３が形成されており、この貫通穴３３に、充電器本体２０の中央に形成されたネジ穴に下側から挿入されるネジが挿入され、さらにその貫通穴３３に反対側から挿入されるネジ止め部材４０にネジ止めされることで、カバー３０は、充電器本体２０に回転可能に取り付けられている。なお、ネジ止め部材４０が挿入される側の貫通穴３３周辺には段差部が設けられており、この段差部にネジ止め部材４０の頭部が挿入されることで、ネジ止め部材４０上面とカバー３０表面がほぼ面一となる（図１参照）。
【００２４】
次に、上記構成の充電器１０の使用方法について説明する。
以下、来店したお客が、充電器１０を使って携帯電話機を充電するまでの流れを説明する。
【００２５】
まず、お客は、充電しようとする携帯電話機に対応する名称が、カバー３０の窓３２から視認されるか否かを確認する。視認されなければ、該当の名称が視認できるまでカバー３０を回転させる。
【００２６】
カバー３０の開口部３１から露出する充電用コネクタ（図１では充電用コネクタ２１ａを例示）に対応する名称（図１では「ＰＤＣ」を例示）がカバーの窓３２から視認されるように、各充電用コネクタ２１ａ、２１ｂ、２１ｃに対応する名称とカバーの窓３２との
関係が設定されている。従って、カバー３０の窓３２から充電しようとする携帯電話機に対応する名称が視認できたということは、この名称に対応する充電用コネクタ（２１ａ、２１ｂ、２１ｃのいずれか）が開口部３１から露出していることを意味する。
【００２７】
お客は、充電しようとする携帯電話機が備えるコネクタ（図示せず）を、開口部３１から露出している充電用コネクタ（２１ａ、２１ｂ、２１ｃのいずれか）に装着する。これにより、その装着された携帯電話機に電源が供給されて充電されることになる。
【００２８】
以上説明したように、本実施形態の充電器１０によれば、充電しようとする携帯電話機に対応する充電用コネクタ（２１ａ、２１ｂ、２１ｃのいずれか）だけが開口部３１から露出し、それ以外の充電用コネクタはカバー３０で覆われて露出しない。従って、お客は、充電しようとする携帯電話機に対応する充電用コネクタ（２１ａ、２１ｂ、２１ｃのいずれか）の選択を誤ることなく、充電を行うことが可能となる。
（第二実施形態）
本発明の第二実施形態である充電器について図面を参照しながら説明する。
【００２９】
本実施形態では、ＵＳＢケーブル２２からの電源を制御しようとするものである。このために、ＵＳＢケーブル２２と充電用コネクタ２１ａ、２１ｂ、２１ｃとの間にＵＳＢケーブル２２からの電源をオンオフ制御するための電源制御手段（例えば回路基板２３）を設ける。
【００３０】
例えば、ＵＳＢケーブル２２からの電源をオフに制御すれば、ＵＳＢケーブル２２からの電源が遮断されることから、充電しようとする携帯電話機が備えるコネクタ（図示せず）を、充電用コネクタ（２１ａ、２１ｂ、２１ｃのいずれか）に装着しても充電されない。
【００３１】
一方、ＵＳＢケーブル２２からの電源をオンに制御すれば、ＵＳＢケーブル２２からの電源が充電用コネクタ２１ａ、２１ｂ、２１ｃに供給されることから、充電しようとする携帯電話機が備えるコネクタ（図示せず）を、充電用コネクタ（２１ａ、２１ｂ、２１ｃのいずれか）に装着すると、上記の第一実施形態と同様に、充電されることになる。
【００３２】
このように、ＵＳＢケーブル２２からの電源をオンオフ制御することで、次に例示するように、様々なサービスの提供が可能となる。
例えば、飲食店において注文システム（店員が携帯する端末などへ注文商品などを入力し、顧客ごとの注文商品と料金を管理して、精算を行う注文システムなど）と組み合わせることで、一定金額以上の注文を行ったお客に対してのみ、ＵＳＢケーブル２２からの電源をオンに制御することで、充電を可能とすることが考えられる。あるいは段階的に金額及び充電時間を設定し、注文金額に応じた時間だけＵＳＢケーブル２２からの電源をオンに制御することで、一定時間の充電を可能とすることも考えられる。
【００３３】
あるいは、充電するか否かをお客に選択させるための選択画面を表示し、お客から充電するとの選択（例えば充電するボタンを押す）があった場合に、ＵＳＢケーブル２２からの電源をオンに制御することで、充電を可能とすることが考えられる。これは例えば、充電しようとする携帯電話機からその携帯電話機の電子メールアドレスを読み取ってもよいか否かを問い合わせる画面を表示するとともに、その問い合わせに対する回答（はい、いいえ）をお客に選択させるための選択画面を表示し、お客から「はい」の選択（例えば「はい」のボタンを押す）があった場合に、ＵＳＢケーブル２２からの電源をオンに制御することで、充電を可能とすることが考えられる。これは、メールアドレスを読み取らせることに同意したお客に対しては、そのメールアドレスに対して広告メールやその他の案内メールなどを送信できるようになることから、その対価として、充電を可能とするのであ
る。なお、充電用コネクタ（２１ａ、２１ｂ、２１ｃのいずれか）に装着された携帯電話機からそのメールアドレスを読み取るための技術としては、例えば、特開２００４−００７４６４号公報に記載の技術を利用する。これにより、充電用コネクタ（２１ａ、２１ｂ、２１ｃのいずれか）に装着された携帯電話機からその電子メールアドレスを読み取ることが可能となる。
【００３４】
次に、上記のようにＵＳＢケーブル２２からの電源をオンオフ制御するための電源制御手段（例えば回路基板２３）の構成について説明する。以下、この電源制御手段を、上記実施形態の充電器１０の回路基板２３上に設けた例について説明する。
【００３５】
本実施形態の充電器１０の構成は、上記実施形態で説明したものとほぼ同様であるが、回路基板２３の構成が異なっている。その他の構成については同様であるので、同一の符号を付して説明する。図４は、主に本実施形態の充電器１０の回路基板２３上の機能を説明するための図である。なお、参考のために、図６に充電器１０の回路図を示す。
【００３６】
図４に示すように、本実施形態の充電器本体２０は、その回路基板２３上に、携帯電話機（図示せず）が接続される複数の充電用コネクタ２１ａ、２１ｂ、２１ｃ、ＵＳＢケーブル２２以外の主要な構成として、ＵＳＢコントローラ２３ａ、マイクロコンピュータ（制御部）２３ｂ、マイクロコンピュータ（記憶部）２３ｃ、充電用電圧コントロール回路２３ｄ、ＬＥＤ２３ｅを備えている。
【００３７】
充電用コネクタ２１ａ、２１ｂ、２１ｃは、携帯電話機に応じた形状の接続端子（３種類）を備える。携帯電話機に電源を供給するとともに、制御信号の送受を行う。なお、電源のみのこともある。
【００３８】
ＵＳＢコネクタ＋ケーブル２２は、パーソナルコンピュータと接続し、電源の送受信を行う。また、パーソナルコンピュータと接続し、データの送受信を行う。
ＵＳＢコントローラ２３ａは、マイクロコンピュータ（記憶部）２３ｄのプログラムコードを書き換えるためのデータ通信を制御する。結果として、携帯電話機の充電時間に制限を設けることになる。
【００３９】
マイクロコンピュータ（制御部）２３ｂは、携帯電話機の機種を特定し、それぞれに応じた制御信号を送受信する。結果として、携帯電話機側のキーを操作し、自動で電子メールの送信や指定のＵＲＬへの接続を行う。
【００４０】
マイクロコンピュータ（記憶部）２３ｃは、プログラムコードを保存・格納する。また、送信するメールアドレスや接続ＵＲＬ、及び本装置固有のＩＤ番号を保存する。
充電用電圧コントロール回路２３ｄは、携帯電話機に安定して電源供給するための回路である。
【００４１】
ＬＥＤ２３ｅは、動作の状態やエラーなどを確認するための表示用ランプとして機能する。
次に、上記構成の充電器１０の使用方法について図５を参照しながら説明する。
【００４２】
以下、来店したお客が、充電器１０を使って携帯電話機を充電するまでの流れを説明する。
まず、お客は、充電しようとする携帯電話機に対応する名称が、カバー３０の窓３２から視認されるか否かを確認する。視認されなければ、該当の名称が視認できるまでカバー３０を回転させる。
【００４３】
カバー３０の開口部３１から露出する充電用コネクタ（図１では充電用コネクタ２１ａを例示）に対応する名称（図１では「ＰＤＣ」を例示）がカバーの窓３２から視認されるように、各充電用コネクタ２１ａ、２１ｂ、２１ｃに対応する名称とカバーの窓３２との関係が設定されている。従って、カバー３０の窓３２から充電しようとする携帯電話機に対応する名称が視認できたということは、この名称に対応する充電用コネクタ（２１ａ、２１ｂ、２１ｃのいずれか）が開口部３１から露出していることを意味する。
【００４４】
お客は、充電しようとする携帯電話機が備えるコネクタ（図示せず）を、開口部３１から露出している充電用コネクタ（２１ａ、２１ｂ、２１ｃのいずれか）に装着する（Ｓ１００）。この段階では、充電器１０はオフ制御されているので、上記実施形態とは異なり、その装着された携帯電話機はまだ充電されない。
【００４５】
例えば、充電器１０がそのＵＳＢケーブル２２を介して接続された情報処理端末のモニター（タッチパネルを想定）からスタートボタン（例えば充電開始ボタン）が押下られると（Ｓ１０１）、情報処理端末はその押下を検知して、所定プログラムを起動し（Ｓ１０２）、以下の処理を実行する。
【００４６】
まず、情報処理端末は、ユーザ情報取得についてユーザ同意画面を表示する（Ｓ１０３）。例えば、お客が充電しようとする携帯電話機からその携帯電話機の電子メールアドレスを読み取ってもよいか否かを問い合わせる画面を表示する。そして、情報処理端末は、その問い合わせに対して、お客から同意を示す入力があった場合には（Ｓ１０４：Ｙｅｓ）、充電器１０のＵＳＢコントローラ（ＵＳＢドライバ）２３ａへ所定コマンドを送信する（Ｓ１０５）。
【００４７】
充電器のＵＳＢコントローラ２３ａは、所定コマンドを受信すると（Ｓ１０６）、ＵＳＢケーブル２２からの電源をオン制御する（Ｓ１０７）。これにより、Ｓ１００で装着された携帯電話機に電源が供給されて充電が開始されることになる（Ｓ１０８）。これとともに、充電器１０（マイクロコンピュータ（制御部）２３ｂ）は、お客の同意に基づき、その充電を開始した携帯電話機からその携帯電話機の電子メールアドレスを読み取る（Ｓ１０９）。
【００４８】
なお、充電時間に制限を設ける場合には、情報処理端末は、予め設定された時間経過後、充電器１０のＵＳＢコントローラ（ＵＳＢドライバ）２３ａへ所定コマンドを送信する（Ｓ１１０）とともに、充電終了メッセージの表示を行う（Ｓ１１６）。
【００４９】
充電器のＵＳＢコントローラ２３ａは、所定コマンドを受信すると（Ｓ１１１）、ＵＳＢケーブル２２からの電源をオフ制御する（Ｓ１１２）。これにより、Ｓ１００で装着された携帯電話機の充電が終了する（Ｓ１１３）。充電器１０（マイクロコンピュータ（制御部２３ｂ）は、Ｓ１０９で読み取った電子メールアドレスに対して予め用意されたポイント不可メールを配信する（Ｓ１１４）。なお、Ｓ１０９で読み取った電子メールアドレスについては、例えば情報処理端末へ送ってそこで管理することなども考えられる。
【００５０】
この配信された電子メールは充電が完了したお客の携帯電話機で受信されお客に閲覧されることになる（Ｓ１１５）。
なお、情報処理端末は、Ｓ１０３の問い合わせに対して、お客から同意を示す入力がなかった場合には（Ｓ１０４：Ｎｏ）、充電不可のメッセージを表示する（Ｓ１１７）。
【００５１】
以上説明したように、本実施形態の充電器１０によれば、充電しようとする携帯電話機に対応する充電用コネクタ（２１ａ、２１ｂ、２１ｃのいずれか）だけが開口部３１から露出し、それ以外の充電用コネクタはカバー３０で覆われて露出しない。従って、お客は
、充電しようとする携帯電話機に対応する充電用コネクタ（２１ａ、２１ｂ、２１ｃのいずれか）の選択を誤ることなく、充電を行うことが可能となる。さらに、本実施形態では、充電用コネクタ（２１ａ、２１ｂ、２１ｃのいずれか）に装着された携帯電話機からその電子メールアドレスを読み取ることを想定しているので、この観点からも、充電しようとする携帯電話機が備えるコネクタに対応する充電用コネクタ（２１ａ、２１ｂ、２１ｃのいずれか）だけが開口部３１から露出し、それ以外の充電用コネクタはカバー３０で覆われて露出しないことは、携帯電話機からより確実に電子メールアドレスを取得することに寄与する。
【００５２】
本発明は、その精神または主要な特徴から逸脱することなく、他の様々な形で実施することができる。このため、上記の実施形態はあらゆる点で単なる例示にすぎない。これらの記載によって本発明が限定的に解釈されるものではない。
【産業上の利用可能性】
【００５３】
本発明によれば、充電器本体が複数の充電用コネクタを備える場合に、その複数の充電用コネクタのうちの一つを露出させることが可能となる。また、電話機が接続される充電用コネクタを備える充電器本体を備える充電器において、その充電用コネクタへ提供する充電用電源をオンオフ制御することが可能となる。
【図面の簡単な説明】
【００５４】
【図１】本発明の一実施形態である充電器の外観を説明するための斜視図である。
【図２】本発明の一実施形態である充電器の分解斜視図である。
【図３】本発明の一実施形態である充電器の充電器本体を説明するための斜視図である。
【図４】主に、本発明の第二実施形態である充電器の回路基板上の機能を説明するための図である。
【図５】本発明の第二実施形態の充電器の動作を説明するためのフローチャートである。
【図６】本発明の第二実施形態の充電器の回路図である。
【符号の説明】
【００５５】
１０      充電器
２０      充電器本体
３０      カバー
【図１】
2006025532.tif 000003
【図２】
2006025532.tif 000004
【図３】
2006025532.tif 000005
【図４】
2006025532.tif 000006
【図５】
2006025532.tif 000007
【図６】
2006025532.tif 000008